(57)【特許請求の範囲】
【請求項１】
巻上機に巻き掛けられた主ロープに支持されたかごと釣合いおもりとを備えたエレベーターにおいて、前記釣合いおもりの下部を支持する支持体と、
前記エレベーターの昇降路の底部において、前記釣合いおもりを案内する一対のおもり側ガイドレールを前記釣合いおもりの側方でそれぞれ把持する一対の把持体と、
前記釣合いおもりの側方で前記一対の把持体にそれぞれ支持され、前記支持体を引き上げることで前記釣合いおもりを引き上げる一対の揚重体と、
前記釣合いおもりと前記支持体との間において着脱自在に設けられるスペーサと、
を備えたエレベーターの釣合いおもりの揚重装置。
【請求項２】
巻上機に巻き掛けられた主ロープに支持されたかごと釣合いおもりとを備えたエレベーターにおいて、前記釣合いおもりの下部を支持する支持体と、
前記エレベーターの昇降路の底部において、前記釣合いおもりを案内する一対のおもり側ガイドレールを前記釣合いおもりの側方でそれぞれ把持する一対の把持体と、
前記釣合いおもりの側方で前記一対の把持体にそれぞれ支持され、前記支持体を引き上げることで前記釣合いおもりを引き上げる一対の揚重体と、
を備え、
前記支持体は、
前記釣合いおもりの下部の一側を支持する一側支持部と、
前記釣合いおもりの下部の他側を支持する他側支持部と、
前記一側支持部と前記他側支持部とに対して着脱自在に設けられる連結部と、
を備えたエレベーターの釣合いおもりの揚重装置。
【請求項３】
前記一側支持部は、前記一対のおもり側ガイドレールの一方に鉛直方向に案内され、
前記他側支持部は、前記一対のおもり側ガイドレールの他方に鉛直方向に案内される請求項２に記載のエレベーターの釣合いおもりの揚重装置。
【請求項４】
巻上機に巻き掛けられた主ロープに支持されたかごと釣合いおもりとを備えたエレベーターにおいて、少なくとも１つの滑車を備え、前記釣合いおもりの下部を支持する支持体と、
前記エレベーターの昇降路の底部において、前記釣合いおもりを案内する一対のおもり側ガイドレールを前記釣合いおもりの側方でそれぞれ把持する一対の把持体と、
前記釣合いおもりの側方で前記一対の把持体の一方に支持される揚重体と、
前記少なくとも１つの滑車に巻き掛けられ、前記一対の把持体の他方と前記揚重体とに連結され、前記揚重体に引き上げられることで前記釣合いおもりを引き上げる揚重ロープと、
を備えたエレベーターの釣合いおもりの揚重装置。
【請求項５】
前記エレベーターの昇降路の底部に配置された状態で、引き上げられた前記釣合いおもりを下方から支持する補助体、
を備えた請求項１から請求項４のいずれか一項に記載のエレベーターの釣合いおもりの揚重装置。
【請求項６】
巻上機に巻き掛けられた主ロープに支持されたかごと釣合いおもりとを備えたエレベーターにおいて、前記釣合いおもりの下部の一部を支持する一側支持部と前記釣合いおもりの下部の他側を支持する他側支持部とを備えた支持体と、
前記エレベーターの昇降路の底部において、前記釣合いおもりを案内する一対のおもり側ガイドレールを前記釣合いおもりの側方でそれぞれ把持する一対の把持体と、
前記釣合いおもりの側方で前記一対の把持体にそれぞれ支持され、前記支持体を引き上げることで前記釣合いおもりを引き上げる一対の揚重体と、
前記釣合いおもりと前記一側支持部との間および前記釣合いおもりと前記他側支持部との間において着脱自在かつ伸縮自在にそれぞれ設けられる一対のスペーサと、
を備えたエレベーターの釣合いおもりの揚重装置。
【請求項７】
巻上機に巻き掛けられた主ロープに支持されたかごと釣合いおもりとを備えたエレベーターにおいて、支持体により、前記釣合いおもりの下部を支持する支持工程と、
前記エレベーターの昇降路の底部において、一対の把持体により、前記釣合いおもりを案内する一対のおもり側ガイドレールを前記釣合いおもりの側方でそれぞれ把持する把持工程と、
前記一対の把持体により、前記釣合いおもりの側方で一対の揚重体をそれぞれ支持し、前記一対の揚重体により、前記支持体を引き上げることで前記釣合いおもりを引き上げる揚重工程と、
を備え、
前記揚重工程は、
前記エレベーターの昇降路の底部に配置されたジャッキにより、前記釣合いおもりを押し上げる押し上げ工程と、
前記押し上げ工程の後、前記一対の把持体により、前記釣合いおもりの側方で前記一対の揚重体を支持し、前記一対の揚重体により、前記支持体を引き上げることで前記釣合いおもりを引き上げる第１引き上げ工程と、
前記第１引き上げ工程の後、前記一対の揚重体により、前記支持体を引き下げる引き下げ工程と、
前記引き下げ工程の後、前記釣合いおもりと前記支持体との間にスペーサを配置させる配置工程と、
前記配置工程の後、前記一対の揚重体により、前記支持体を引き上げることで前記釣合いおもりを引き上げる第２引き上げ工程と、
を備えたエレベーターの釣合いおもりの揚重方法。
【請求項８】
巻上機に巻き掛けられた主ロープに支持されたかごと釣合いおもりとを備えたエレベーターにおいて、支持体により、前記釣合いおもりの下部を支持する支持工程と、
前記エレベーターの昇降路の底部において、一対の把持体により、前記釣合いおもりを案内する一対のおもり側ガイドレールを前記釣合いおもりの側方でそれぞれ把持する把持工程と、
前記一対の把持体により、前記釣合いおもりの側方で一対の揚重体をそれぞれ支持し、前記一対の揚重体により、前記支持体を引き上げることで前記釣合いおもりを引き上げる揚重工程と、
を備え、
前記支持工程は、
前記支持体の一側支持部により、前記釣合いおもりの下部の一側を支持する一側支持工程と、
前記支持体の他側支持部により、前記釣合いおもりの下部の他側を支持する他側支持工程と、
前記支持体の連結部により、前記一側支持部と前記他側支持部とを連結する連結工程と、
を備えたエレベーターの釣合いおもりの揚重方法。
【請求項９】
前記一側支持工程は、前記支持体の一側支持部を前記一対のおもり側ガイドレールの一方に鉛直方向に案内させる工程を備え、
前記他側支持工程は、前記支持体の他側支持部を前記一対のおもり側ガイドレールの他方に鉛直方向に案内させる工程を備えた請求項８に記載のエレベーターの釣合いおもりの揚重方法。
【請求項１０】
巻上機に巻き掛けられた主ロープに支持されたかごと釣合いおもりとを備えたエレベーターにおいて、支持体により、前記釣合いおもりの下部を支持する支持工程と、
前記エレベーターの昇降路の底部において、一対の把持体により、前記釣合いおもりを案内する一対のおもり側ガイドレールを前記釣合いおもりの側方でそれぞれ把持する把持工程と、
前記支持体に設けられた少なくとも１つの滑車に揚重ロープを巻き掛ける巻き掛け工程と、
前記一対の把持体の一方により、前記釣合いおもりの側方で揚重体を支持し、前記一対の把持体の他方と前記揚重体とに前記揚重ロープを連結し、前記揚重体により、前記揚重ロープを引き上げることで前記釣合いおもりを引き上げる揚重工程と、
を備えたエレベーターの釣合いおもりの揚重方法。
【請求項１１】
前記エレベーターの昇降路の底部に配置された補助体により、引き上げられた前記釣合いおもりを下方から支持する補助工程、
を備えた請求項７から請求項１０のいずれか一項に記載のエレベーターの釣合いおもりの揚重方法。
【請求項１２】
巻上機に巻き掛けられた主ロープに支持されたかごと釣合いおもりとを備えたエレベーターにおいて、支持体の一側支持部により、前記釣合いおもりの下部の一側を支持し、前記支持体の他側支持部により、前記釣合いおもりの下部の他側を支持する支持工程と、
前記エレベーターの昇降路の底部において、一対の把持体により、前記釣合いおもりを案内する一対のおもり側ガイドレールを前記釣合いおもりの側方でそれぞれ把持する把持工程と、
前記一対の把持体により、前記釣合いおもりの側方で一対の揚重体をそれぞれ支持し、前記一対の揚重体の一方により、前記支持体の一側支持部を引き上げることで前記釣合いおもりを引き上げ、前記釣合いおもりと前記支持体の他側支持部との間にスペーサを配置させ、前記一対の揚重体の他方により、前記支持体の他側支持部を引き上げることで前記釣合いおもりを引き上げ、前記支持体の一側支持部を引き下げ、前記釣合いおもりと前記支持体の一側支持部との間にスペーサを配置させ、前記一対の揚重体の一方により、前記支持体の一側支持部を引き上げることで前記釣合いおもりを引き上げる揚重工程と、
を備えたエレベーターの釣合いおもりの揚重方法。
【発明の詳細な説明】
【技術分野】
【０００１】
この発明は、エレベーターの釣合いおもりの揚重装置および揚重方法に関する。
【背景技術】
【０００２】
特許文献１は、エレベーターの釣合いおもりの揚重装置を開示する。当該揚重装置によれば、かごが最上階の付近で非常停止した場合でも、釣合いおもりを吊り上げることでかごを下方に移動させることができる。
【先行技術文献】
【特許文献】
【０００３】
【特許文献１】日本特許第６２５１３６７号公報
【発明の概要】
【発明が解決しようとする課題】
【０００４】
しかしながら、特許文献１に記載の揚重装置においては、釣合いおもりよりも上方に吊り上げ器具を設ける必要がある。このため、吊り上げ器具の設置に時間がかかる。【０００５】
この発明は、上述の課題を解決するためになされた。この発明の目的は、釣合いおもりを容易に吊り上げることができるエレベーターの釣合いおもりの揚重装置および揚重方法を提供することである。
【課題を解決するための手段】
【０００６】
この発明に係るエレベーターの釣合いおもりの揚重装置は、巻上機に巻き掛けられた主ロープに支持されたかごと釣合いおもりとを備えたエレベーターにおいて、前記釣合いおもりの下部を支持する支持体と、前記エレベーターの昇降路の底部において、前記釣合いおもりを案内する一対のおもり側ガイドレールを前記釣合いおもりの側方でそれぞれ把持する一対の把持体と、前記釣合いおもりの側方で前記一対の把持体にそれぞれ支持され、前記支持体を引き上げることで前記釣合いおもりを引き上げる一対の揚重体と、前記釣合いおもりと前記支持体との間において着脱自在に設けられるスペーサと、を備えた。
この発明に係るエレベーターの釣合いおもりの揚重装置は、巻上機に巻き掛けられた主ロープに支持されたかごと釣合いおもりとを備えたエレベーターにおいて、前記釣合いおもりの下部を支持する支持体と、前記エレベーターの昇降路の底部において、前記釣合いおもりを案内する一対のおもり側ガイドレールを前記釣合いおもりの側方でそれぞれ把持する一対の把持体と、前記釣合いおもりの側方で前記一対の把持体にそれぞれ支持され、前記支持体を引き上げることで前記釣合いおもりを引き上げる一対の揚重体と、を備え、前記支持体は、前記釣合いおもりの下部の一側を支持する一側支持部と、前記釣合いおもりの下部の他側を支持する他側支持部と、前記一側支持部と前記他側支持部とに対して着脱自在に設けられる連結部と、を備えた。
【０００７】
この発明に係るエレベーターの釣合いおもりの揚重装置は、巻上機に巻き掛けられた主ロープに支持されたかごと釣合いおもりとを備えたエレベーターにおいて、少なくとも１つの滑車を備え、前記釣合いおもりの下部を支持する支持体と、前記エレベーターの昇降路の底部において、前記釣合いおもりを案内する一対のおもり側ガイドレールを前記釣合いおもりの側方でそれぞれ把持する一対の把持体と、前記釣合いおもりの側方で前記一対の把持体の一方に支持される揚重体と、前記少なくとも１つの滑車に巻き掛けられ、前記一対の把持体の他方と前記揚重体とに連結され、前記揚重体に引き上げられることで前記釣合いおもりを引き上げる揚重ロープと、を備えた。【０００８】
この発明に係るエレベーターの釣合いおもりの揚重装置は、巻上機に巻き掛けられた主ロープに支持されたかごと釣合いおもりとを備えたエレベーターにおいて、前記釣合いおもりの下部の一部を支持する一側支持部と前記釣合いおもりの下部の他側を支持する他側支持部とを備えた支持体と、前記エレベーターの昇降路の底部において、前記釣合いおもりを案内する一対のおもり側ガイドレールを前記釣合いおもりの側方でそれぞれ把持する一対の把持体と、前記釣合いおもりの側方で前記一対の把持体にそれぞれ支持され、前記支持体を引き上げることで前記釣合いおもりを引き上げる一対の揚重体と、前記釣合いおもりと前記一側支持部との間および前記釣合いおもりと前記他側支持部との間において着脱自在かつ伸縮自在にそれぞれ設けられる一対のスペーサと、を備えた。【０００９】
この発明に係るエレベーターの釣合いおもりの揚重方法は、巻上機に巻き掛けられた主ロープに支持されたかごと釣合いおもりとを備えたエレベーターにおいて、支持体により、前記釣合いおもりの下部を支持する支持工程と、前記エレベーターの昇降路の底部において、一対の把持体により、前記釣合いおもりを案内する一対のおもり側ガイドレールを前記釣合いおもりの側方でそれぞれ把持する把持工程と、前記一対の把持体により、前記釣合いおもりの側方で一対の揚重体をそれぞれ支持し、前記一対の揚重体により、前記支持体を引き上げることで前記釣合いおもりを引き上げる揚重工程と、を備え、前記揚重工程は、前記エレベーターの昇降路の底部に配置されたジャッキにより、前記釣合いおもりを押し上げる押し上げ工程と、前記押し上げ工程の後、前記一対の把持体により、前記釣合いおもりの側方で前記一対の揚重体を支持し、前記一対の揚重体により、前記支持体を引き上げることで前記釣合いおもりを引き上げる第１引き上げ工程と、前記第１引き上げ工程の後、前記一対の揚重体により、前記支持体を引き下げる引き下げ工程と、前記引き下げ工程の後、前記釣合いおもりと前記支持体との間にスペーサを配置させる配置工程と、前記配置工程の後、前記一対の揚重体により、前記支持体を引き上げることで前記釣合いおもりを引き上げる第２引き上げ工程と、を備えた。
この発明に係るエレベーターの釣合いおもりの揚重方法は、巻上機に巻き掛けられた主ロープに支持されたかごと釣合いおもりとを備えたエレベーターにおいて、支持体により、前記釣合いおもりの下部を支持する支持工程と、前記エレベーターの昇降路の底部において、一対の把持体により、前記釣合いおもりを案内する一対のおもり側ガイドレールを前記釣合いおもりの側方でそれぞれ把持する把持工程と、前記一対の把持体により、前記釣合いおもりの側方で一対の揚重体をそれぞれ支持し、前記一対の揚重体により、前記支持体を引き上げることで前記釣合いおもりを引き上げる揚重工程と、を備え、前記支持工程は、前記支持体の一側支持部により、前記釣合いおもりの下部の一側を支持する一側支持工程と、前記支持体の他側支持部により、前記釣合いおもりの下部の他側を支持する他側支持工程と、前記支持体の連結部により、前記一側支持部と前記他側支持部とを連結する連結工程と、を備えた。
【００１０】
この発明に係るエレベーターの釣合いおもりの揚重方法は、巻上機に巻き掛けられた主ロープに支持されたかごと釣合いおもりとを備えたエレベーターにおいて、支持体により、前記釣合いおもりの下部を支持する支持工程と、前記エレベーターの昇降路の底部において、一対の把持体により、前記釣合いおもりを案内する一対のおもり側ガイドレールを前記釣合いおもりの側方でそれぞれ把持する把持工程と、前記支持体に設けられた少なくとも１つの滑車に揚重ロープを巻き掛ける巻き掛け工程と、前記一対の把持体の一方により、前記釣合いおもりの側方で揚重体を支持し、前記一対の把持体の他方と前記揚重体とに前記揚重ロープを連結し、前記揚重体により、前記揚重ロープを引き上げることで前記釣合いおもりを引き上げる揚重工程と、を備えた。【００１１】
この発明に係るエレベーターの釣合いおもりの揚重方法は、巻上機に巻き掛けられた主ロープに支持されたかごと釣合いおもりとを備えたエレベーターにおいて、支持体の一側支持部により、前記釣合いおもりの下部の一側を支持し、前記支持体の他側支持部により、前記釣合いおもりの下部の他側を支持する支持工程と、前記エレベーターの昇降路の底部において、前記一対の把持体により、前記釣合いおもりを案内する一対のおもり側ガイドレールを前記釣合いおもりの側方でそれぞれ把持する把持工程と、前記一対の把持体により、前記釣合いおもりの側方で一対の揚重体をそれぞれ支持し、前記一対の揚重体の一方により、前記支持体の一側支持部を引き上げることで前記釣合いおもりを引き上げ、前記釣合いおもりと前記支持体の他側支持部との間にスペーサを配置させ、前記一対の揚重体の他方により、前記支持体の他側支持部を引き上げることで前記釣合いおもりを引き上げ、前記支持体の一側支持部を引き下げ、前記釣合いおもりと前記支持体の一側支持部との間にスペーサを配置させ、前記一対の揚重体の一方により、前記支持体の一側支持部を引き上げることで前記釣合いおもりを引き上げる揚重工程と、を備えた。
【発明の効果】
【００１２】
この発明によれば、揚重体は、釣合いおもりの側方で釣合いおもりを引き上げる。このため、釣合いおもりを容易に吊り上げることができる。
【図面の簡単な説明】
【００１３】
【図１】実施の形態１におけるエレベーターの釣合いおもりの揚重装置が適用されるエレベーターシステムの構成図である。
【図２】実施の形態１におけるエレベーターの釣合いおもりの揚重方法を説明するための図である。
【図３】実施の形態２におけるエレベーターの釣合いおもりの揚重方法を説明するための図である。
【図４】実施の形態３におけるエレベーターの釣合いおもりの揚重方法を説明するための図である。
【図５】実施の形態４におけるエレベーターの釣合いおもりの揚重方法を説明するための図である。
【図６】実施の形態５におけるエレベーターの釣合いおもりの揚重方法を説明するための図である。
【図７】実施の形態６におけるエレベーターの釣合いおもりの揚重方法を説明するための図である。
【発明を実施するための形態】
【００１４】
この発明を実施するための形態について添付の図面に従って説明する。なお、各図中、同一または相当する部分には同一の符号が付される。当該部分の重複説明は適宜に簡略化ないし省略する。
【００１５】
実施の形態１．
図１は実施の形態１におけるエレベーターの釣合いおもりの揚重装置が適用されるエレベーターシステムの構成図である。
【００１６】
図１のエレベーターシステムは、機械室のないエレベーターシステムである。当該エレベーターシステムにおいて、昇降路１は、建築物の各階を貫く。図示されない複数の乗場の各々は、建築物の各階に設けられる。複数の乗場の各々は、昇降路１に対向する。
【００１７】
巻上機２は、昇降路１の上部に設けられる。綱車３は、巻上機２の回転軸に取り付けられる。主ロープ４は、綱車３に巻き掛けられる。
【００１８】
一対のかご側ガイドレール５は、昇降路１に設けられる。図１においては、一対のかご側ガイドレール５の一方のみが図示される。一対のおもり側ガイドレール６は、昇降路１に設けられる。
【００１９】
かご７は、昇降路１の内部に設けられる。かご７は、一対のかご側ガイドレール５に案内される。かご７は、主ロープ４の一側に支持される。釣合いおもり８は、昇降路１の内部に設けられる。釣合いおもり８は、一対のおもり側ガイドレール６に案内される。釣合いおもり８は、主ロープ４の他側に支持される。
【００２０】
かご側バッファ９は、かご７の下方において昇降路１の底部に設けられる。おもり側バッファ１０は、釣合いおもり８の下方において昇降路１の底部に設けられる。
【００２１】
制御装置１１は、巻上機２の直下において昇降路１の上部に設けられる。制御装置１１は、エレベーターシステムを全体的に制御し得るように設けられる。
【００２２】
エレベーターの故障時、停電時等において、電力を用いてかご７を走行させられないこともある。この際、かご７が最上階の付近に停止していると、巻上機２、制御装置１１等に対する復旧作業をかご７の上からできない場合もある。
【００２３】
この場合、昇降路１の底部において、釣合いおもり８が引き上げられることで、かご７の位置が下がる。その結果、巻上機２、制御装置１１等に対する復旧作業をかご７の上から行い得る状態となる。
【００２４】
次に、図２を用いて、釣合いおもり８の揚重方法を説明する。
図２は実施の形態１におけるエレベーターの釣合いおもりの揚重方法を説明するための図である。
【００２５】
釣合いおもり８は、おもり側バッファ１０に支持された状態から図２の（Ａ）ないし（Ｆ）の工程を順々に経て引き上げられる。
【００２６】
図２の（Ａ）は、揚重工程のうちの押し上げ工程を示す。押し上げ工程において、釣合いおもり８は、昇降路１の底部に配置されたジャッキ１２により、押し上げられる。
【００２７】
図２の（Ｂ）は、支持工程と把持工程と揚重行程の第１引き上げ工程の一部とを示す。支持工程において、揚重装置１３の支持体１４は、釣合いおもり８の下部を支持する。把持工程において、揚重装置１３の一対の把持体１５は、一対のおもり側ガイドレール６を釣合いおもり８の側方でそれぞれ把持する。揚重行程の第１引き上げ工程の一部において、一対の把持体１５は、釣合いおもり８の側方で揚重装置１３の一対の揚重体１６をそれぞれ支持する。一対の揚重体１６は、支持体１４を支持する。この状態において、図２の（Ｂ）においては図示されないジャッキ１２は、撤去される。
【００２８】
図２の（Ｃ）は、揚重行程の第１引き上げ工程の一部を示す。揚重行程の第１引き上げ工程の一部において、一対の揚重体１６は、吊り代の限界まで引き上げられる。その結果、釣合いおもり８が引き上げられる。
【００２９】
図２の（Ｄ）は、揚重行程の引き下げ工程を示す。揚重行程の引き下げ工程において、一対の揚重体１６は、限界まで引き下げられる。その結果、支持体１４が引き下げられる。この際、図示されないブレーキは、図２においては図示されない巻上機２の回転を制止している。その結果、釣合いおもり８は、引き上げられた位置に停止した状態を維持する。
【００３０】
図２の（Ｅ）は、揚重行程の配置工程を示す。揚重行程の配置工程において、揚重装置１３のスペーサ１７は、釣合いおもり８と支持体１４との間の鉛直方向の隙間を埋めるように配置される。例えば、スペーサ１７は、釣合いおもり８の下部に取り付けられる。
【００３１】
図２の（Ｆ）は、揚重行程の第２引き上げ工程を示す。揚重行程の第２引き上げ工程において、一対の揚重体１６は、吊り代の限界まで引き上げられる。その結果、釣合いおもり８が引き上げられる。この状態において、一対の揚重体１６は、限界まで引き下げられる。
【００３２】
その後、必要において、図２の（Ｅ）と（Ｆ）とで示された揚重行程の配置工程と第２引き上げ工程が繰り返される。この際、スペーサ１７は、釣合いおもり８と支持体１４との間の鉛直方向の隙間の寸法に応じて設定される。例えば、長さの異なる複数のスペーサ１７の中から釣合いおもり８と支持体１４との間の鉛直方向の隙間の寸法に合ったスペーサ１７が選定される。例えば、伸縮自在に設けられたスペーサ１７の長さを釣合いおもり８と支持体１４との間の鉛直方向の隙間の寸法に合わせる調整が行われる。
【００３３】
以上で説明した実施の形態１によれば、揚重体１６は、釣合いおもり８の側方で釣合いおもり８を引き上げる。この際の作業は、昇降路１の底部から行われる。このため、釣合いおもり８を容易に吊り上げることができる。
【００３４】
また、釣合いおもり８の下方に支持体１４を配置させる際は、ジャッキ１２を用いればよい。このため、揚重装置１３を容易に設置することができる。
【００３５】
また、スペーサ１７を用いて、図２の（Ｅ）と（Ｆ）とで示された工程が繰り返される。このため、釣合いおもり８をより高く引き上げることができる。
【００３６】
実施の形態２．
図３は実施の形態２におけるエレベーターの釣合いおもりの揚重方法を説明するための図である。なお、実施の形態１の部分と同一又は相当部分には同一符号が付される。当該部分の説明は省略される。
【００３７】
実施の形態２の支持体１４は、一側支持部１４ａと他側支持部１４ｂと連結部１４ｃと基部１４ｄとを備える。
【００３８】
図３の（Ａ）は、支持工程の一側支持工程と支持工程の他側支持工程と把持工程と揚重行程の第１引き上げ工程における一部とを示す。支持工程の一側支持工程において、支持体１４の一側支持部１４ａは、おもり側バッファ１０に支持された釣合いおもり８の下部の一側を抱え込むように支持する。支持工程の他側支持工程において、支持体１４の他側支持部１４ｂは、おもり側バッファ１０に支持された釣合いおもり８の下部の他側を抱え込むように支持する。把持工程において、一対の把持体１５は、一対のおもり側ガイドレール６を釣合いおもり８の側方でそれぞれ把持する。揚重行程の第１引き上げ工程の一部において、一対の把持体１５は、釣合いおもり８の側方で一対の揚重体１６をそれぞれ支持する。一対の揚重体１６の一方は、一側支持部１４ａを支持する。一対の揚重体１６の他方は、他側支持部１４ｂを支持する。
【００３９】
図３の（Ｂ）は、支持工程の連結工程を示す。支持工程の連結工程において、支持体１４の連結部１４ｃは、一側支持部１４ａと他側支持部１４ｂとを連結する。
【００４０】
図３の（Ｃ）は、揚重行程の第１引き上げ工程の一部を示す。揚重行程の第１引き上げ工程の一部において、一対の揚重体１６は、吊り代の限界まで引き上げられる。その結果、釣合いおもり８が引き上げられる。
【００４１】
図３の（Ｄ）は、揚重行程の引き下げ工程を示す。揚重行程の引き下げ工程において、支持体１４の基部１４ｄは、連結部１４ｃの下方において一側支持部１４ａと他側支持部１４ｂとに連結される。その後、一対の揚重体１６は、限界まで引き下げられる。その結果、支持体１４が引き下げられる。この際、図示されないブレーキは、図３の（Ｄ）においては図示されない巻上機２の回転を制止している。その結果、釣合いおもり８は、引き上げられた位置に停止した状態を維持する。
【００４２】
図３の（Ｅ）は、揚重行程の配置工程を示す。配置工程において、スペーサ１７は、釣合いおもり８と支持体１４の基部１４ｄとの間の鉛直方向の隙間を埋めるように配置される。
【００４３】
図３の（Ｆ）は、揚重行程の第２引き上げ工程を示す。第２引き上げ工程において、一対の揚重体１６は、吊り代の限界まで引き上げられる。その結果、釣合いおもり８が引き上げられる。この状態において、一対の揚重体１６は、限界まで引き下げられる。
【００４４】
その後、必要において、図３の（Ｅ）と（Ｆ）とで示された揚重行程の配置工程と第２引き上げ工程が繰り返される。この際、スペーサ１７は、釣合いおもり８と支持体１４の基部１４ｄとの間の鉛直方向の隙間の寸法に応じて設定される。例えば、長さの異なる複数のスペーサ１７の中から釣合いおもり８と支持体１４の基部１４ｄとの間の鉛直方向の隙間の寸法に合ったスペーサ１７が選定される。例えば、伸縮自在に設けられたスペーサ１７の長さを釣合いおもり８と支持体１４の基部１４ｄとの間の鉛直方向の隙間の寸法に合わせる調整が行われる。
【００４５】
以上で説明した実施の形態２によれば、支持体１４の一側支持部１４ａは、おもり側バッファ１０に支持された釣合いおもり８の下部の一側を支持する。支持体１４の他側支持部１４ｂは、おもり側バッファ１０に支持された釣合いおもり８の下部の他側を支持する。このため、ジャッキ１２を用いることなく、釣合いおもり８を容易に吊り上げることができる。
【００４６】
実施の形態３．
図４は実施の形態３におけるエレベーターの釣合いおもりの揚重方法を説明するための図である。なお、実施の形態２の部分と同一又は相当部分には同一符号が付される。当該部分の説明は省略される。
【００４７】
実施の形態３の支持部１５ｂにおいて、一側支持部１４ａは、一対のおもり側ガイドレール６の一方に鉛直方向に案内され得るように配置される。例えば、一側支持部１４ａは、おもり側バッファ１０の側方まで延びるように配置される。他側支持部１４ｂは、一対のおもり側ガイドレール６の他方に鉛直方向に案内され得るように配置される。例えば、他側支持部１４ｂは、おもり側バッファ１０の側方まで延びるように配置される。
【００４８】
以上で説明した実施の形態３によれば、一側支持部１４ａは、一対のおもり側ガイドレール６の一方に鉛直方向に案内される。他側支持部１４ｂは、一対のおもり側ガイドレール６の他方に鉛直方向に案内される。このため、釣合いおもり８を円滑に引き上げることができる。
【００４９】
実施の形態４．
図５は実施の形態４におけるエレベーターの釣合いおもりの揚重方法を説明するための図である。なお、実施の形態２の部分と同一又は相当部分には同一符号が付される。当該部分の説明は省略される。
【００５０】
実施の形態４の支持体１４は、少なくとも１つの滑車１８を備える。例えば、支持体１４の一側支持部１４ａは、一対の滑車１８の一方を備える。支持体１４の他側支持部１４ｂは、一対の滑車１８の他方を備える。
【００５１】
図５の（Ａ）は、支持工程の一側支持工程と支持工程の他側支持工程と把持工程と揚重行程の第１引き上げ工程における一部とを示す。支持工程の一側支持工程において、一側支持部１４ａは、おもり側バッファ１０に支持された釣合いおもり８の下部の一側を支持する。支持工程の他側支持工程において、他側支持部１４ｂは、おもり側バッファ１０に支持された釣合いおもり８の下部の他側を支持する。把持工程において、一対の把持体１５は、一対のおもり側ガイドレール６を釣合いおもり８の側方でそれぞれ把持する。揚重行程の第１引き上げ工程の一部において、一対の把持体１５の一方は、釣合いおもり８の側方で揚重体１６を支持する。
【００５２】
図５の（Ｂ）は、支持工程の連結工程と巻き掛け工程と揚重行程の第１引き上げ工程の一部とを示す。支持工程の連結工程において、支持体１４の連結部１４ｃは、一側支持部１４ａと他側支持部１４ｂとを連結する。巻き掛け工程において、揚重装置１３の揚重ロープ１９は、一対の滑車１８に巻き掛けられる。揚重行程の第１引き上げ工程の一部において、揚重ロープ１９の一端部は、一対の把持体１５の他方に連結される。揚重ロープ１９の他端部は、揚重体１６に連結される。
【００５３】
図５の（Ｃ）は、揚重行程の第１引き上げ工程の一部を示す。揚重行程の第１引き上げ工程の一部において、一対の揚重体１６は、吊り代の限界まで引き上げられる。その結果、釣合いおもり８は、揚重ロープ１９の引き上げに追従して引き上げられる。
【００５４】
図５の（Ｄ）は、揚重行程の引き下げ工程を示す。揚重行程の引き下げ工程において、支持体１４の基部１４ｄは、連結部１４ｃの下方において一側支持部１４ａと他側支持部１４ｂとに連結される。その後、一対の揚重体１６は、限界まで引き下げられる。その結果、支持体１４は、揚重ロープ１９の引き下げに追従して引き下げられる。この際、図示されないブレーキは、図５の（Ｄ）においては図示されない巻上機２の回転を制止している。その結果、釣合いおもり８は、引き上げられた位置に停止した状態を維持する。
【００５５】
図５の（Ｅ）は、揚重行程の配置工程を示す。配置工程において、スペーサ１７は、釣合いおもり８と支持体１４の基部１４ｄとの間の鉛直方向の隙間を埋めるように配置される。
【００５６】
図５の（Ｆ）は、揚重行程の第２引き上げ工程を示す。第２引き上げ工程において、一対の揚重体１６は、吊り代の限界まで引き上げられる。その結果、釣合いおもり８が引き上げられる。この状態において、一対の揚重体１６は、限界まで引き下げられる。
【００５７】
その後、必要において、図５の（Ｅ）と（Ｆ）とで示された揚重行程の配置工程と第２引き上げ工程が繰り返される。この際、スペーサ１７は、釣合いおもり８と支持体１４の基部１４ｄとの間の鉛直方向の隙間の寸法に応じて設定される。例えば、長さの異なる複数のスペーサ１７の中から釣合いおもり８と支持体１４の基部１４ｄとの間の鉛直方向の隙間の寸法に合ったスペーサ１７が選定される。例えば、伸縮自在に設けられたスペーサ１７の長さを釣合いおもり８と支持体１４の基部１４ｄとの間の鉛直方向の隙間の寸法に合わせる調整が行われる。
【００５８】
以上で説明した実施の形態４によれば、釣合いおもり８は、揚重ロープ１９の引き上げに追従して引き上げられる。この際、揚重体１６は、１つだけでよい。このため、簡単な構成で、釣合いおもり８を引き上げることができる。
【００５９】
実施の形態５．
図６は実施の形態５におけるエレベーターの釣合いおもりの揚重方法を説明するための図である。なお、実施の形態２の部分と同一又は相当部分には同一符号が付される。当該部分の説明は省略される。
【００６０】
図６の（Ａ）は、支持工程の一側支持工程と支持工程の他側支持工程と把持工程と揚重行程の第１引き上げ工程の一部とを示す。支持工程の一側支持工程において、支持体１４の一側支持部１４ａは、おもり側バッファ１０に支持された釣合いおもり８の下部の一側を支持する。支持工程の他側支持工程において、他側支持部１４ｂは、おもり側バッファ１０に支持された釣合いおもり８の下部の他側を支持する。把持工程において、一対のおもり側ガイドレール６を釣合いおもり８の側方でそれぞれ把持する。揚重行程の第１引き上げ工程の一部において、一対の把持体１５は、釣合いおもり８の側方で一対の揚重体１６をそれぞれ支持する。一対の揚重体１６の一方は、一側支持部１４ａを支持する。一対の揚重体１６の他方は、他側支持部１４ｂを支持する。
【００６１】
図６の（Ｂ）は、支持工程の連結工程を示す。支持工程の連結工程において、支持体１４の連結部１４ｃは、一側支持部１４ａと他側支持部１４ｂとを連結する。
【００６２】
図６の（Ｃ）は、揚重行程の第１引き上げ工程の一部と補助工程とを示す。揚重行程の第１引き上げ工程の一部において、一対の揚重体１６は、吊り代の限界まで引き上げられる。その結果、釣合いおもり８が引き上げられる。補助工程において、補助体２０は、昇降路１の底部に配置された状態で支持体１４を貫通する。補助体２０は、釣合いおもり８を下方から支持する。
【００６３】
図６の（Ｄ）は、揚重行程の引き下げ工程を示す。揚重行程の引き下げ工程において、支持体１４の基部１４ｄは、連結部１４ｃの下方において一側支持部１４ａと他側支持部１４ｂとに連結される。その後、一対の揚重体１６は、限界まで引き下げられる。その結果、支持体１４が引き下げられる。
【００６４】
図６の（Ｅ）は、揚重行程の配置工程を示す。配置工程において、スペーサ１７は、釣合いおもり８と支持体１４の基部１４ｄとの間の鉛直方向の隙間を埋めるように配置される。
【００６５】
図６の（Ｆ）は、揚重行程の第２引き上げ工程を示す。第２引き上げ工程において、一対の揚重体１６は、吊り代の限界まで引き上げられる。その結果、釣合いおもり８が引き上げられる。この状態において、補助体２０は、釣合いおもり８を下方から支持するように伸ばされる。一対の揚重体１６は、限界まで引き下げられる。
【００６６】
その後、必要において、図６の（Ｅ）と（Ｆ）とで示された揚重行程の配置工程と第２引き上げ工程が繰り返される。この際、スペーサ１７は、釣合いおもり８と支持体１４の基部１４ｄとの間の鉛直方向の隙間の寸法に応じて設定される。例えば、長さの異なる複数のスペーサ１７の中から釣合いおもり８と支持体１４の基部１４ｄとの間の鉛直方向の隙間の寸法に合ったスペーサ１７が選定される。例えば、伸縮自在に設けられたスペーサ１７の長さを釣合いおもり８と支持体１４の基部１４ｄとの間の鉛直方向の隙間の寸法に合わせる調整が行われる。
【００６７】
以上で説明した実施の形態５によれば、補助体２０は、昇降路１の底部に配置された状態で支持体１４を貫通する。補助体２０は、釣合いおもり８を下方から支持する。このため、ブレーキが巻上機２の回転を制止することができなくても、釣合いおもり８の下方への移動を抑制することができる。
【００６８】
なお、補助体２０は、支持体１４を貫通しなくてもよい。例えば、支持体１４に切り欠きを形成して、支持体１４と補助体２０との干渉を避けてもよい。例えば、支持体１４との干渉を避けるように補助体２０を形成してもよい。
【００６９】
実施の形態６．
図７は実施の形態６におけるエレベーターの釣合いおもりの揚重方法を説明するための図である。なお、実施の形態２の部分と同一又は相当部分には同一符号が付される。当該部分の説明は省略される。
【００７０】
図７の（Ａ）は、支持工程の一側支持工程と支持工程の他側支持工程と把持工程と揚重行程の一部とを示す。支持工程の一側支持工程において、支持体１４の一側支持部１４ａは、おもり側バッファ１０に支持された釣合いおもり８の下部の一側を支持する。支持工程の他側支持工程において、支持体１４の他側支持部１４ｂは、おもり側バッファ１０に支持された釣合いおもり８の下部の他側を支持する。把持工程において、一対のおもり側ガイドレール６を釣合いおもり８の側方でそれぞれ把持する。揚重行程の一部において、一対の把持体１５は、釣合いおもり８の側方で一対の揚重体１６をそれぞれ支持する。一対の揚重体１６の一方は、一側支持部１４ａを支持する。一対の揚重体１６の他方は、他側支持部１４ｂを支持する。
【００７１】
図７の（Ｂ）は、揚重行程の一部を示す。揚重行程の一部において、一対の揚重体１６の一方は、吊り代の限界まで引き上げられる。その結果、釣合いおもり８が引き上げられる。
【００７２】
図７の（Ｃ）は、揚重行程の一部を示す。揚重行程の一部において、スペーサ１７は、釣合いおもり８と支持体１４の他側支持部１４ｂとの間の鉛直方向の隙間を埋めるように配置される。
【００７３】
図７の（Ｄ）は、揚重行程の一部を示す。揚重行程の一部において、一対の揚重体１６の他方は、吊り代の限界まで引き上げられる。その結果、釣合いおもり８が引き上げられる。
【００７４】
図７の（Ｅ）は、揚重行程の一部を示す。揚重行程の一部において、一対の揚重体１６は、限界まで引き下げられる。その結果、支持体１４の一側支持部１４ａが引き下げられる。
【００７５】
図７の（Ｆ）は、揚重行程の一部を示す。揚重行程の一部において、スペーサ１７は、釣合いおもり８と支持体１４の一側支持部１４ａとの間の鉛直方向の隙間を埋めるように配置される。この状態において、一対の揚重体１６の一方は、限界まで引き上げられる。
【００７６】
その後、必要において、図７の（Ｅ）と（Ｆ）とで示された揚重行程の配置工程と第２引き上げ工程が繰り返される。この際、スペーサ１７は、釣合いおもり８と支持体１４の一側支持部１４ａまたは他側支持部１４ｂとの間の鉛直方向の隙間の寸法に応じて設定される。例えば、長さの異なる複数のスペーサ１７の中から釣合いおもり８と支持体１４の一側支持部１４ａまたは他側支持部１４ｂとの間の鉛直方向の隙間の寸法に合ったスペーサ１７が選定される。例えば、伸縮自在に設けられたスペーサ１７の長さを釣合いおもり８と支持体１４の一側支持部１４ａまたは他側支持部１４ｂとの間の鉛直方向の隙間の寸法に合わせる調整が行われる。
【００７７】
以上で説明した実施の形態６によれば、支持体１４において、一側支持部１４ａと他側支持部１４ｂとは、順々に引き上げられる。このため、ブレーキが巻上機２の回転を制止することができなくても、釣合いおもり８の下方への移動を抑制することができる。
【００７８】
なお、支持体１４の下方にスペーサを追加してもよい。この場合、スペーサの下部に揚重体１６を連結して釣合いおもり８を引き上げればよい。この場合も、釣合いおもり８を容易に吊り上げることができる。
【産業上の利用可能性】
【００７９】
以上のように、この発明に係るエレベーターの揚重装置および揚重方法は、エレベーターシステムに利用できる。
【符号の説明】
【００８０】
１  昇降路、  ２  巻上機、  ３  綱車、  ４  主ロープ、  ５  かご側ガイドレール、  ６  おもり側ガイドレール、  ７  かご、  ８  釣合いおもり、  ９  かご側バッファ、  １０  おもり側バッファ、  １１  制御装置、  １２  ジャッキ、  １３  揚重装置、  １４  支持体、  １４ａ  一側支持部、  １４ｂ  他側支持部、  １４ｃ  連結部、  １４ｄ  基部、  １５  把持体、  １５ａ  把持部、  １５ｂ  支持部、  １６  揚重体、  １７  スペーサ、  １８  滑車、  １９  揚重ロープ、  ２０  補助体
【図１】
0006798644.tif 000002
【図２】
0006798644.tif 000003
【図３】
0006798644.tif 000004
【図４】
0006798644.tif 000005
【図５】
0006798644.tif 000006
【図６】
0006798644.tif 000007
【図７】
0006798644.tif 000008